(57)【要約】【課題】本発明は、比較的にシンプルな構成により、単管パイプ等の筒体を立設した状態で確実に立設状に配置されている保持することができる、筒体吊下げ装置を提供することを目的とする。【解決手段】本発明に係る筒体吊下げ装置は、立設状に配置されている複数の筒体の下部の孔の各々に挿入される複数の凸部が、平面視において下部支持部材の中心部から均等に下部支持部材上に設けられ、この下部支持部材の中心部に係止部が設けられ、この係止部にロープが繋がれ、このロープの周囲に配置される複数の筒体の上部を支持する上部支持部材を備え、係止部は環状部材であり、ロープの先端に取り付けられているフックが環状部材に係合されている事を特徴とする。【選択図】図１
2015178394.tif 000002
【特許請求の範囲】
【請求項１】
立設状に配置されている複数の筒体の下部の孔の各々に挿入される複数の凸部が、平面視において下部支持部材の中心部から均等に下部支持部材上に設けられ、この下部支持部材の中心部に係止部が設けられ、この係止部にロープが繋がれ、このロープの周囲に配置される複数の筒体の上部を支持する上部支持部材を備え、
係止部は環状部材であり、ロープの先端に取り付けられているフックが環状部材に係合されている事を特徴とする筒体吊下げ装置。
【請求項２】
上部支持部材は、筒体の上部の孔に挿入される凸部を有している板状部材であり、筒体の上部の孔に挿入される複数の凸部が平面視において下部支持部材の中心部から均等に上部支持部材の下側に設けられ、この上部支持部材の中心部をロープが貫通している事を特徴とする請求項１に記載の筒体吊下げ装置。
【請求項３】
上部支持部材は２つの半弧状の棒状部材がヒンジで開閉可能に繋がれ、閉状態で環状となって複数の筒体を囲んで支持する請求項１に記載の筒体吊下げ装置。
【請求項４】
上部支持部材は、複数の筒体を囲むために環状に形成され、環状部材が複数の筒体を囲んでいる状態で環状部材の一端に下方を向いている凸部が設けられている１に記載の筒体吊下げ装置。
【発明の詳細な説明】
【技術分野】
【０００１】
本発明は、単管パイプ等の筒体を立設した状態で確実に保持することができる、筒体吊下げ装置に関するものである。
【背景技術】
【０００２】
例えば、道路における地中工事の際に、道路のマンホールの蓋を外して、筒体である単管パイプ等を、道路上からマンホールの内部空間内に向けて降ろす作業がある。複数の単管パイプは、マンホールの内部空間内において、例えば、ケーブルの接続作業や接続個所の保守点検時をするための足場材として作業床を構築するために使用される。
【０００３】
一般的に、マンホールの直径は約７５０ｍｍ程度であり、マンホール床盤までの距離は、道路面から５ｍ乃至１０ｍ程度である。また、部屋の高さは、約２ｍ乃至３ｍ程度である。この様なマンホールの内部空間内には、梯子や、種々の固定物が存在している。
【０００４】
そして、例えば、１本の単管パイプ１００を降ろす際には、先端にフック２００が取り付けられているロープ２１０が用いられている。具体的には、図１０（ａ）に示すように、単管パイプ１００の下部の孔に、ロープ２１０のフック２００を下方から引っ掛ける。次に、単管パイプ１００の上部でロープ２１０を一回りさせて輪２２０を作り、単管パイプ１００自身の重みにより輪２２０が締まるように作用させ、単管パイプ１００がフック２００と輪２２０によりロープ２１０に保持された状態で、単管パイプ１００を降ろす作業を実施していた。
【０００５】
また、複数の単管パイプ１００を降ろす際には、例えば、図１０（ｂ）に示すように、ロープ２１０のフック２００に、布状の袋３００を取り付けたものが使用されている。袋３００は、自身の取っ手３１０がフック２００に引っ掛けられて、ロープ２１０に取り付けられている。
【０００６】
そして、複数の単管パイプ１００の下端部を袋３００内に収容した状態で、複数の単管パイプ１００の上部でロープ２１０を一回りさせて輪２２０を作り、単管パイプ１００自身の重みにより輪２２０が締まるように作用させ、複数の単管パイプ１００が袋３００と輪２２０によりロープ２１０に保持された状態で、複数の単管パイプ１００を降ろす作業を実施していた。
【０００７】
一方、特許文献１に示すように、長尺物品を収納する長尺物品吊上袋が提案されている。
【０００８】
この袋は、架空電線保守作業を行う場合に使用する複数の長尺物品を吊り上げる長尺物品吊上袋であって、前記複数の長尺物品の上部を、前記複数の長尺物品のそれぞれが自在に上下に移動可能なように、保持する中空円筒形を形成する上部袋と、前記複数の長尺物品の下部の保持が充分に確保可能な高さを有し、底を有する下部袋であって前記複数の長尺物品の下部の保持と前記複数の長尺物品のそれぞれを上方向へ抜き出し可能とする中空円筒形を形成する下部袋と、前記上部袋と前記下部袋との間に空間を設け、該空間から前記複数の長尺物品のそれぞれを抜き出すことが可能なように前記上部袋と前記下部袋とを繋ぐ繋ぎ部材とを備え、前記繋ぎ部材は、前記上部袋と前記下部袋との間の長さを調整可能とする機構を有している。
【０００９】
【先行技術文献】
【特許文献】
【００１０】
【特許文献１】特許第５１００２８９号公報
【発明の概要】
【発明が解決しようとする課題】
【００１１】
上述したように、所定のロープ２１０を用いて、筒体である単管パイプ１００等を、道路上からマンホールの内部空間内に向けて降ろす作業においては、単管パイプ１００が、全体としてロープ２１０に沿うような立設状態を維持しながらロープ２１０に保持されているものであるが（図１０（ａ）（ｂ）参照）、マンホールの内部空間内には、梯子や、種々の固定物が存在していることから、これらが障害となって、単管パイプ１００を降ろす作業が困難となる状況が生じている。
【００１２】
例えば、図１０（ａ）に示すように、先端にフック２００が取り付けられているロープ２１０を用いて単管パイプ１００を降ろしているときに、梯子や種々の固定物等にフック２００部分が接触すると、単管パイプ１００が傾斜した状態となり、単管パイプ１００に巻き付けているロープ２１０の輪２２０が緩んでしまう事がある。
【００１３】
そして、作業者が輪２２０の緩みに気づかないで単管パイプ１００を降ろして行くと、ロープ２１０の輪２２０が単管パイプ１００から外れてしまい、単管パイプ１００が下方に向けて落下してしまうのである。
【００１４】
また、図１０（ｂ）に示すように、所定の袋３００を用いて複数の単管パイプ１００を降ろしているときに、梯子や種々の固定物等に袋３００部分が接触すると、複数の単管パイプ１００が傾斜した状態となり、ロープ２１０の輪２２０が緩んで単管パイプ１００から外れてしまい、複数の単管パイプ１００が下方に向けて一斉に落下してしまうのである。
【００１５】
この他にも、長年の袋３００の使用により袋３００の底部分が破損してしまい、複数の単管パイプ１００が袋３００部分から一斉に抜け落ちてしまう事態も生じていた。
【００１６】
一方、特許文献１に示す長尺物品吊上袋は、同一の長さの長尺物品を扱うための上部袋と下部袋を備えており、長尺物品の長さに応じて前記上部袋と前記下部袋との間の長さを調整可能とする機構が必要となり、全体の構成が極めて複雑であるという問題があった。
【００１７】
そこで、本発明は、比較的にシンプルな構成により、単管パイプ等の筒体を立設した状態で確実に立設状に配置されている保持することができる、筒体吊下げ装置を提供することを目的とする。
【課題を解決するための手段】
【００１８】
上記課題を解決するために、請求項１に記載の筒体吊下げ装置に係る発明は、例えば、図１乃至図６に示すように、立設状に配置されている複数の筒体の下部の孔の各々に挿入される複数の凸部が、平面視において下部支持部材の中心部から均等に下部支持部材上に設けられ、この下部支持部材の中心部に係止部が設けられ、この係止部にロープが繋がれ、このロープの周囲に配置される複数の筒体の上部を支持する上部支持部材を備え、係止部は環状部材であり、ロープの先端に取り付けられているフックが環状部材に係合されている事を特徴とする。
【００１９】
請求項１に記載の筒体吊下げ装置に係る発明によれば、立設状に配置されている複数の筒体の下部の孔の各々に挿入される複数の凸部が、平面視において下部支持部材の中心部から均等に下部支持部材上に設けられ、この下部支持部材の中心部に係止部が設けられ、この係止部にロープが繋がれ、このロープの周囲に配置される複数の筒体の上部を支持する上部支持部材を備えているので、比較的にシンプルな構成で筒体を確実に保持することができる。また、係止部は環状部材であり、ロープの先端に取り付けられているフックが環状部材に係合されているので、下部支持部材とロープの着脱が容易にでき、必要に応じて各々の部材を交換することができる。
【００２０】
請求項２に記載の筒体吊下げ装置に係る発明は、例えば、図１乃至図６，図８，図９に示すように、上部支持部材は、筒体の上部の孔に挿入される凸部を有している板状部材であり、筒体の上部の孔に挿入される複数の凸部が平面視において下部支持部材の中心部から均等に上部支持部材の下側に設けられ、この上部支持部材の中心部をロープが貫通している事を特徴とする。
【００２１】
請求項２に記載の筒体吊下げ装置に係る発明によれば、上部支持部材は、筒体の上部の孔に挿入される凸部を有しているので、筒体を確実に支持することができる。また、上部支持部材は凸部を有する板状部材であり、筒体の上部の孔に挿入される複数の凸部が平面視において下部支持部材の中心部から均等に上部支持部材の下側に設けられ、この上部支持部材の中心部をロープが貫通しているので、上部支持部材を上下させることにより、筒体の着脱を容易にすることができる。
【００２２】
請求項３に記載の筒体吊下げ装置に係る発明は、例えば、図７に示すように、上部支持部材は２つの半弧状の棒状部材がヒンジで開閉可能に繋がれ、閉状態で環状となって複数の筒体を囲んで支持する事を特徴とする。
【００２３】
請求項３に記載の筒体吊下げ装置に係る発明によれば、上部支持部材は２つの半弧状の棒状部材がヒンジで開閉可能に繋がれ、閉状態で環状となって複数の筒体を囲んで支持するので、複数の筒体の上部を囲んだ状態で容易に支持することができる。
また、複数の筒体の長さが異なる場合であっても、夫々の筒体の上部を確実に固定できる。
【００２４】
請求項４に記載の筒体吊下げ装置に係る発明は、例えば、図８，図９に示すように、上部支持部材は、複数の筒体を囲むために環状に形成され、環状部材が複数の筒体を囲んでいる状態で環状部材の一端に下方を向いている凸部が設けられている事を特徴とする。
【００２５】
請求項４に記載の筒体吊下げ装置に係る発明によれば、複数の筒体を囲んだ状態で一番短い筒体の上部の孔に下方を向いている凸部を挿入することにより、長さが異なる複数の筒体の上部を確実に固定できる。
【発明の効果】
【００２６】
本発明によれば、比較的にシンプルな構成で立設状に配置されている筒体を確実に保持することができる、筒体吊下げ装置を提供することができる。
【図面の簡単な説明】
【００２７】
【図１】本発明に係る筒体吊下げ装置の使用例を示す斜視図であり、（ａ）は下部支持部材にロープを取り付ける前の状態を示し、（ｂ）は下部支持部材にロープが取り付けられ、複数の単管パイプの下部が下部支持部材の凸部に取り付けられる前の状態を示し、（ｃ）は複数の単管パイプの下部の孔に下部支持部材の凸部が挿入されて複数の単管パイプが下部支持部材に取り付けられ、ロープに上部支持部材が取り付けられる前の状態を示し、（ｄ）はロープに上部支持部材が取り付けられている状態を示し、（ｅ）はロープに取り付けられた上部支持部材が押し下げられ、上部支持部材の凸部が単管パイプの上部の孔に挿入され、複数の単管パイプが固定されている状態を示している。
【図２】本発明に係る筒体吊下げ装置の上部支持部材と下部支持部材の構成を示す斜視図である。
【図３】本発明に係る筒体吊下げ装置の使用例を示す地中における側面図である。
【図４】本発明に係る筒体吊下げ装置の変形例１の構成を示す斜視図である。
【図５】本発明に係る筒体吊下げ装置の変形例１の使用例を示すもので、（ａ）は上部支持部材および下部支持部材にロープが取り付けられている状態を示す側面図、（ｂ）は上部支持部材および下部支持部材に複数の単管パイプが取り付けられる前の状態を示す分解斜視図、（ｃ）は上部支持部材および下部支持部材に挟まれた複数の単管パイプが取り付けられている状態を示す斜視図、（ｄ）は上部支持部材および下部支持部材に挟まれた複数の単管パイプが取り付けられている状態を示す側面図である。
【図６】本発明に係る筒体吊下げ装置の変形例２の使用例を示すもので、（ａ）は上部支持部材および下部支持部材にロープが取り付けられている状態を示す側面図、（ｂ）は上部支持部材および下部支持部材に複数の単管パイプが取り付けられる前の状態を示す分解斜視図、（ｃ）は上部支持部材および下部支持部材に挟まれた複数の単管パイプが取り付けられている状態を示す斜視図である。
【図７】本発明に係る筒体吊下げ装置の変形例３の構成を示す斜視図である。
【図８】本発明に係る筒体吊下げ装置の変形例４の構成を示すもので、（ａ）は下部支持部材にロープが取り付けられている状態を示す側面図、（ｂ）は上部支持部材および下部支持部材に複数の単管パイプが取り付けられる前の状態を示す分解斜視図、（ｃ）は上部支持部材および下部支持部材に挟まれた複数の単管パイプが取り付けられている状態を示す斜視図である。
【図９】本発明に係る筒体吊下げ装置の変形例５の構成を示す斜視図である。
【図１０】所定のロープを用いた従来の単管パイプの吊下げ状態を示すもので、（ａ）はロープにより１本の単管パイプを吊下げている状態を示す側面図、（ｂ）はロープにより複数の単管パイプを吊下げている状態を示す側面図である。
【発明を実施するための形態】
【００２８】
以下に、図面を参照して、本発明の実施の形態について説明する。
【００２９】
＜実施の形態＞
図１乃至図３は、本発明に係る筒体吊下げ装置の一実施の形態を示している。
【００３０】
本発明に係る筒体吊下げ装置１は、立設状に配置されている複数の筒体１００の下部の孔の各々に挿入される複数の上向き凸部３が、平面視において円形状の下部支持部材５の中心部から均等に下部支持部材５の上側に設けられ、この下部支持部材５の中心部に係止部７が設けられ、この係止部７にロープ２１０がフック２００で繋がれ、このロープ２１０の周囲に配置される複数の筒体１００の上部を支持する上部支持部材９を備えている。
【００３１】
係止部７は環状部材であり、ロープ２１０の先端に取り付けられているフック２００が係止部７に係合可能になっている。係止部７は、下部支持部材５に、溶接やねじ込み等の手段を用いて固定されている。
【００３２】
上部支持部材９は、凸部を有する円形状の板状部材であり、筒体の上部の孔に挿入される複数の下向き凸部１１が平面視において上部支持部材９の中心部から均等に上部支持部材９の下側に設けられ、この上部支持部材９の中心部をロープ２１０が貫通している。
【００３３】
上部支持部材９は、中心部から外周部までＶ字状の切込み１３が入れてある柔軟性部材により形成されており、Ｖ字状の切込み１３の外側からロープ２１０を挿入し、中心部の円形状の孔１５を介してロープ２１０に上下可動に固定されている。
【００３４】
図２に示すように、複数の上向き凸部３は、夫々円柱状に形成されている。この上向き凸部３の上部には、単管パイプ１００の孔に挿入し易いようにテーパーが設けられている。また、上向き凸部３は、複数の単管パイプ１００が上向き凸部３に挿入されてロープ２１０の周りに立設状に配置された際に、夫々の単管パイプ１００の中心に位置するように配置されている。
【００３５】
同様に、図２に示すように、複数の下向き凸部１１も、夫々円柱状に形成されている。この下向き凸部１１の下部には、単管パイプ１００の孔に挿入し易いようにテーパーが設けられている。また、下向き凸部１１は複数の単管パイプ１００が下向き凸部１１に挿入されてロープ２１０の周りに立設状に配置された際に、夫々の単管パイプ１００の中心に位置するように配置されている。上向き凸部３と下向き凸部１１の直径は、単管パイプ１００の内径より小さくなるように形成されており、単管パイプ１００の孔に挿入可能になっている。
【００３６】
次に、図１を参照して、筒体吊下げ装置１に、複数の単管パイプ１００を取り付ける例について説明する。
【００３７】
まず、図１（ａ）（ｂ）に示すように、地面に下部支持部材５を置き、ロープ２１０を取り付ける。具体的には、下部支持部材５の係止部７に、ロープ２１０のフック２００を係合させる。その後、図１（ｂ）に示すように、複数の単管パイプ１００の下部を、下部支持部材５の上向き凸部３に取り付けるために、複数の単管パイプ１００を所定の位置に配置に配置する。
【００３８】
次に、図１（ｃ）に示すように、複数の単管パイプ１００の下部の孔に、下部支持部材５の上向き凸部３を挿入して、複数の単管パイプ１００を、下部支持部材５に立設状に配置する。
【００３９】
次に、図１（ｃ）（ｄ）に示すように、ロープ２１０に上部支持部材９を取り付ける。具体的には、上部支持部材９のＶ字状の切込み１３を介して、上部支持部材９の中心部までロープ２１０挿入するように押し付けて、ロープ２１０に上部支持部材９を取り付けるのである。
【００４０】
その後、図１（ｅ）に示すように、ロープ２１０に取り付けた上部支持部材９を押し下げて、上部支持部材９の下向き凸部１１が単管パイプ１００の上部の孔に挿入され、複数の単管パイプ１００が立設した状態で固定される。
【００４１】
そして、図３に示すように、立設した状態で固定されている複数の単管パイプ１００が、マンホールから所定の部屋内に降ろされる。最後に、上部支持部材９をロープ２１０に沿って上方に移動させ、複数の単管パイプ１００を筒体吊下げ装置１から取り外す。
【００４２】
＜変形例１＞
上記実施の形態においては、上部支持部材９および下部支持部材５の凸部が、円柱状である例について説明した。しかし、これに限定されず、図４および図５に示すように、上部支持部材９および下部支持部材５の凸部が、台形状の板１７により形成されていても良い。
【００４３】
凸部が台形状の板１７により形成されている場合であっても、円柱状の凸部と同様に、台形状の板１７自体にテーパーが設けられているので、単管パイプ１００の孔に挿入し易く、また、上部支持部材９ａおよび下部支持部材５ａで単管パイプ１００を挟み込んで確実に固定できる。
【００４４】
次に、図５を参照して、筒体吊下げ装置１に、複数の単管パイプ１００を取り付ける例について説明する。
【００４５】
まず、図５（ａ）（ｂ）に示すように、地面に置いた下部支持部材５ａの係止部７にロープ２１０のフック２００で取り付けると共に、ロープ２１０に上部支持部材９ａを取り付ける。具体的には、図５（ｂ）に示すように、上部支持部材９ａのＶ字状の切込みを介して、上部支持部材９ａの中心部までロープ２１０挿入するように押し付けて、ロープ２１０に上部支持部材９を取り付けるのである。
【００４６】
その後、図５（ｂ）に示すように、複数の単管パイプ１００を、下部支持部材５ａと上部支持部材９ａの間の所定の位置に配置する。
【００４７】
次に、図５（ｃ）に示すように、複数の単管パイプ１００の下部の孔に、下部支持部材５ａの台形状の板１７を挿入して、複数の単管パイプ１００を、下部支持部材５ａに立設状に配置する。
【００４８】
その後、図５（ｃ）（ｄ）に示すように、ロープ２１０に取り付けている上部支持部材９ａを押し下げて、上部支持部材９ａの下向きの板１７が単管パイプ１００の上部の孔に挿入され、複数の単管パイプ１００が立設した状態で固定される。
【００４９】
＜変形例２＞
上記実施の形態においては、下部支持部材５ａおよび上部支持部材９ａの凸部が、台形状の板１７である例について説明した。しかし、これに限られず、図６（ａ）（ｂ）に示すように、テーパー状の側面を有するコーン状であっても良い。
【００５０】
図６（ａ）乃至（ｃ）に示す使用の手順は、図５（ａ）乃至（ｄ）と同様であるので、その詳細な説明を省略する。
【００５１】
＜変形例３＞
上記実施の形態においては、単管パイプ１００を、下部支持部材５ａと上部支持部材９ａで挟み込むようにして固定する例について説明した。しかし、これに限定されず、図７に示すように、上部支持部材９ｃとして、開閉部材を用いても良い。この開閉部材は、２つの半弧状の棒状部材１９が、ヒンジ２１を介して開閉可能に繋がれている。そして、図７に示すように、閉じた状態で環状となり、複数の単管パイプ１００ａ，１００ｂ，１００ｃ，１００ｄを囲むように支持するのである。
【００５２】
上記構成によると、単管パイプ１００ａ，１００ｂ，１００ｃ，１００ｄの長さが異なる場合であっても、夫々の単管パイプ１００ａ，１００ｂ，１００ｃ，１００ｄの上部を確実に固定できる。
【００５３】
＜変形例４＞
上記実施の形態においては、上部支持部材９ｃとして、開閉部材を用いる例について説明した。この開閉部材は、半弧状の棒状部材１９が、ヒンジ２１を介して開閉可能に繋がれているが、これに限定されることはない。
【００５４】
例えば、図８に示すように、上部支持部材９ｄが複数の単管パイプ１００ａ，１００ｂ，１００ｃ，１００ｄを囲むために環状に形成され、環状部材の一端において、下方を向いている円柱状の下向き凸部１１ａが設けられていても良い。
【００５５】
上記構成によると、単管パイプ１００ａ，１００ｂ，１００ｃ，１００ｄの長さが異なる場合であっても、単管パイプ１００ａ，１００ｂ，１００ｃ，１００ｄを環状部材で囲んだ状態で、円柱状の下向き凸部１１ａが、一番短い単管パイプ１００ｄの上部に挿入されることにより、単管パイプ１００ａ，１００ｂ，１００ｃ，１００ｄの上部を確実に固定できる。
【００５６】
＜変形例５＞
この他、図９に示すように、上部支持部材９ｅが、１本の棒状部材１９により環状に形成され、環状の部材の一部に、下方を向いている下向き凸部１１ｂを設けても良い。
【００５７】
＜変形例６＞
上記実施の形態および変形例においては、筒体として単管パイプを使用する例について説明したが、これに限定されることはない。中空筒体（パイプ），例えば，角パイプ等を使用しても良い。
【００５８】
上記構成によると、単管パイプ１００ａ，１００ｂ，１００ｃ，１００ｄの長さが異なる場合であっても、単管パイプ１００ａ，１００ｂ，１００ｃ，１００ｄを環状の棒状部材１９により囲んだ状態で、下方を向いている下向き凸部１１ｂが、一番短い単管パイプ１００ｄの上部に挿入されることにより、単管パイプ１００ａ，１００ｂ，１００ｃ，１００ｄの上部を確実に固定できる。
【符号の説明】
【００５９】
１  筒体吊下げ装置
３，３ａ  上向き凸部
５，５ａ，５ｂ  下部支持部材
７  係止部
９，９ａ，９ｂ，９ｃ，９ｄ，９ｅ  上部支持部材
１１，１１ａ，１１ｂ  下向き凸部
１３  Ｖ字状の切込み
１５  円形状の孔
１７  台形状の板
１９  棒状部材
２１  ヒンジ
１００  単管パイプ
２００  フック
２１０  ロープ
【図１】
2015178394.tif 000003
【図２】
2015178394.tif 000004
【図３】
2015178394.tif 000005
【図４】
2015178394.tif 000006
【図５】
2015178394.tif 000007
【図６】
2015178394.tif 000008
【図７】
2015178394.tif 000009
【図８】
2015178394.tif 000010
【図９】
2015178394.tif 000011
【図１０】
2015178394.tif 000012